(57)【特許請求の範囲】
【請求項１】
運搬車の荷物把持機構に設けられた第一アンテナから発信された無線信号の反射波を受信できる前記運搬車の所定の位置に設けられた第一発信装置であって前記無線信号の受信に基づいて前記第一発信装置の発信した第一ＩＤを、前記第一アンテナで検出したか否かを判定する荷物管理部と、
前記第一ＩＤを検出した場合に荷物ＩＤ発信装置が取り付けられていない荷物を運搬していると判定する運搬状態判定部と、
を備える荷物管理装置。
【請求項２】
前記荷物管理部は、荷物に取り付けられた前記荷物ＩＤ発信装置から発信された荷物ＩＤを前記第一アンテナで検出したか否かを判定する
請求項１に記載の荷物管理装置。
【請求項３】
前記荷物管理部は、
前記荷物把持機構を所定の高さに持ち上げた場合に前記第一アンテナの近傍に位置するように前記運搬車に予め設けられた第二アンテナで前記第一ＩＤを検出したか否かを判定し、
前記第一ＩＤを前記第一アンテナと前記第二アンテナのそれぞれで検出した状況に応じて前記荷物の搬入元における運搬に関するタイミング種別または搬出先における運搬に関するタイミング種別を判定し、前記タイミング種別の判定結果に基づいて、現在位置と前記第一ＩＤとを上位システム送信する
請求項１または請求項２に記載の荷物管理装置。
【請求項４】
前記荷物管理部は、
前記荷物把持機構を所定の高さに持ち上げた場合に前記第一アンテナの近傍に位置するように前記運搬車に予め設けられた第二発信装置であって第一アンテナから発信された無線信号の受信に基づいて前記第二発信装置の発信した第二ＩＤを、前記第一アンテナで検出したか否かを判定し、
前記第一ＩＤと前記第二ＩＤとを前記第一アンテナで検出した状況に応じて前記荷物の搬入元における運搬に関するタイミング種別または搬出先における運搬に関するタイミング種別を判定し、前記タイミング種別の判定結果に基づいて、現在位置と前記第一ＩＤとを上位システム送信する
請求項１または請求項２に記載の荷物管理装置。
【請求項５】
運搬車の荷物把持機構に設けられた第一アンテナから発信された無線信号の反射波を受信できる前記運搬車の所定の位置に設けられた第一発信装置であって前記無線信号の受信に基づいて前記第一発信装置の発信した第一ＩＤを、前記第一アンテナで検出したか否かを判定し、
前記第一ＩＤを検出した場合に荷物ＩＤ発信装置が取り付けられていない荷物を運搬していると判定する
荷物管理方法。
【請求項６】
荷物管理装置のコンピュータを、
運搬車の荷物把持機構に設けられた第一アンテナから発信された無線信号の反射波を受信できる前記運搬車の所定の位置に設けられた第一発信装置であって前記無線信号の受信に基づいて前記第一発信装置の発信した第一ＩＤを、前記第一アンテナで検出したか否かを判定する荷物管理手段、
前記第一ＩＤを検出した場合に荷物ＩＤ発信装置が取り付けられていない荷物を運搬していると判定する運搬状態判定手段、
として機能させるプログラム。
【発明の詳細な説明】
【技術分野】
【０００１】
本発明は、荷物管理装置、荷物管理方法、プログラムに関する。
【背景技術】
【０００２】
物流業界において荷物にＲＦＩＤタグを取り付けて、ＲＦＩＤタグから荷物の識別番号を読み取ることにより荷物の物流管理を行っている。ＲＦＩＤタグを用いて荷物の管理を行う技術が特許文献１および非特許文献１に開示されている。
【先行技術文献】
【特許文献】
【０００３】
【特許文献１】特開２００８−１９０４６号公報
【非特許文献】
【０００４】
【非特許文献１】第２部 実験／実用事例，物流業務でＩＣタグを活用，「日経ＢＰムック  無線ＩＣタグのすべて」、株式会社日経ＢＰ、２００４年４月２０日、p.70-71
【発明の概要】
【発明が解決しようとする課題】
【０００５】
上述の特許文献１の技術ではフォークリフトがコンテナにフォーク形の腕を差し入れる際に、コンテナに添付されたＲＦＩＤタグのＩＤ情報を読み取る技術が開示されている。また非特許文献１にも同様の技術が記載されている。
しかしながら荷物自体にＲＦＩＤタグが付与されていない場合に適切な管理を行うことができなかった。
【０００６】
そこでこの発明は、上述の課題を解決する荷物管理装置、荷物管理方法、プログラムを提供することを目的としている。
【課題を解決するための手段】
【０００７】
本発明の第１の態様によれば、荷物管理装置は、運搬車の荷物把持機構に設けられた第一アンテナから発信された無線信号の反射波を受信できる前記運搬車の所定の位置に設けられた第一発信装置であって前記無線信号の受信に基づいて前記第一発信装置の発信した第一ＩＤを、前記第一アンテナで検出したか否かを判定する荷物管理部と、前記第一ＩＤを検出した場合に荷物ＩＤ発信装置が取り付けられていない荷物を運搬していると判定する運搬状態判定部と、を備える。
【０００８】
本発明の第２の態様によれば、荷物管理方法は、運搬車の荷物把持機構に設けられた第一アンテナから発信された無線信号の反射波を受信できる前記運搬車の所定の位置に設けられた第一発信装置であって前記無線信号の受信に基づいて前記第一発信装置の発信した第一ＩＤを、前記第一アンテナで検出したか否かを判定し、前記第一ＩＤを検出した場合に荷物ＩＤ発信装置が取り付けられていない荷物を運搬していると判定する。
【０００９】
本発明の第３の態様によれば、プログラムは、荷物管理装置のコンピュータを、運搬車の荷物把持機構に設けられた第一アンテナから発信された無線信号の反射波を受信できる前記運搬車の所定の位置に設けられた第一発信装置であって前記無線信号の受信に基づいて前記第一発信装置の発信した第一ＩＤを、前記第一アンテナで検出したか否かを判定する荷物管理手段、前記第一ＩＤを検出した場合に荷物ＩＤ発信装置が取り付けられていない荷物を運搬していると判定する運搬状態判定手段、として機能させる。
【発明の効果】
【００１０】
本発明によれば、運搬車の荷物把持機構の油圧情報を得なくとも、運搬車が運搬する荷物を管理することができる。
【図面の簡単な説明】
【００１１】
【図１】本発明の第一実施形態による荷物管理装置を図面を参照して説明する。
【図２】本発明の第一実施形態による搬入元または搬出先の例を示す第一の図である。
【図３】本発明の第一実施形態による搬入元または搬出先の例を示す第二の図である。
【図４】本発明の第一実施形態による搬入元または搬出先の例を示す第三の図である。
【図５】本発明の第一実施形態による搬入元または搬出先の例を示す第四の図である。
【図６】本発明の第一実施形態による荷物管理装置のハードウェア構成を示す図である。
【図７】本発明の第一実施形態による荷物管理装置の機能ブロック図である。
【図８】本発明の第一実施形態によるフォークリフトの第一の動作例を示す図である。
【図９】本発明の第一実施形態によるフォークリフトの第二の動作例を示す図である。
【図１０】本発明の第一実施形態によるフォークリフトの第三の動作例を示す図である。
【図１１】本発明の第一実施形態によるフォークリフトの一連の動作を示す第一の図である。
【図１２】本発明の第一実施形態によるフォークリフトの一連の動作を示す第二の図である。
【図１３】本発明の第一実施形態による荷物管理装置１の処理フローを示す図である。
【図１４】本発明の第二実施形態によるフォークリフトの一連の動作を示す第一の図である。
【図１５】本発明の一実施形態による荷物管理装置の最小構成を示す図である。
【発明を実施するための形態】
【００１２】
＜第一実施形態＞
以下、本発明の第一実施形態による荷物管理装置を図面を参照して説明する。
図１は同実施形態によるフォークリフトとコンテナとの関係を示す図である。
図１においてフォークリフト１０は運搬車の一例である。またコンテナ２０は荷物の一例である。フォークリフト１０には、荷物管理装置１、第一アンテナ１１、第二アンテナ１２、衛星測位アンテナ１３、通信アンテナ１４、第一タグ１５が備わる。
【００１３】
第一アンテナ１１はフォークリフトのフォーク（荷物把持機構）にとりつけられている。フォークリフト１０の運転手はコンテナ２０を運搬してそのコンテナ２０を他の位置に移動させる際にはコンテナ２０を所定の高さに持ち上げる。運転手はフォークリフト１０を操作してコンテナ２０を所定の高さに持ち上げることにより運転時の自身の視界を確保する。第二アンテナ１２は、コンテナ２０を運搬する際に運転手によってコンテナ２０が持ち上げられた所定の高さにおいて第一アンテナ１１の近傍に位置するようにフォークリフト１０に予め設けられている。
【００１４】
第一タグ１５は、第一アンテナ１１から発信された無線信号のコンテナ２０から反射した反射波を受信できるフォークリフト１０の所定の位置に設けられている。コンテナ２０にＲＦＩＤタグが取り付けられていない状態にはコンテナ２０を管理することができない。したがって、フォークリフト１０でＲＦＩＤタグが取り付けられていないコンテナ２０を運ぶ場合には、第一アンテナ１１の発信した無線信号がコンテナ２０で反射し、この反射した無線信号を第一タグが受信する。第一タグはその反射した無線信号の受信に基づいて第一フォークリフトＩＤ（第一ＩＤ）を発信する。第一フォークリフトＩＤの無線信号はコンテナ２０で反射して第一アンテナ１１で受信する。ＲＦＩＤタグが取り付けられていないコンテナ２０を運んでいることを第一アンテナ１１における第一フォークリフトＩＤの受信によって判定することができる。コンテナ２０にＲＦＩＤタグが取り付けられている場合には、少なくとも第一アンテナ１１はコンテナ２０に取り付けられた荷物タグから発信された荷物ＩＤと、第一タグ１５から発信された第一フォークリフトＩＤの両方を受信することができる。
なお第一アンテナ１１の発信する無線信号の指向性によって、第一タグ１５では通常はその無線信号を検知できない位置に設けられている。フォーク上にコンテナ２０などの反射部材が存在することによって当該無線信号が反射し、その反射した無線信号の受信によって第一タグ１５は第一フォークリフトＩＤを発信することができるＲＦＩＤタグである。
【００１５】
衛星測位アンテナ１３は人工衛星からの信号を受信するアンテナである。人工衛星からの信号を受信してその信号に含まれる情報を荷物管理装置１が取得する。荷物管理装置１はその信号に含まれる情報に基づいてフォークリフトの位置を検出する。
通信アンテナ１４は荷物管理装置１が他装置と通信する際に信号を送受信するアンテナである。通信アンテナ１４は荷物管理装置１にケーブルにて接続されている。
荷物管理装置１は、コンテナ２０などの荷物の搬入元や搬出先を判定する。また荷物管理装置１は荷物タグの取り付けられていないコンテナ２０を運んでいることを検出する。以下、荷物管理装置１の詳細について説明する。
【００１６】
図２は搬入元または搬出先の例を示す第一の図である。
図２で示す搬入元または搬出先の例は第一のトラックを示している。第一のトラックには配置位置ＩＤ発信装置である配置位置タグ３１が取り付けられている。
【００１７】
図３は搬入元または搬出先の例を示す第二の図である。
図３で示す搬入元または搬出先の例は第二トラックを示している。第二のトラックにも配置位置タグ３１が取り付けられている。
【００１８】
図４は搬入元または搬出先の例を示す第三の図である。
図４で示す搬入元または搬出先の例は貨車を示している。貨車にも配置位置タグ３１が取り付けられている。
【００１９】
図５は搬入元または搬出先の例を示す第四の図である。
図５で示す搬入元または搬出先の例は、かご台車を示している。かご台車にも配置位置タグ３１が取り付けられている。
【００２０】
本実施形態による荷物管理装置１は、コンテナヤードなどの敷地や、図２〜図５で示したトラック、貨車、かご台車などの搬入元や搬出先を特定する。トラック、貨車、かご台車などはコンテナ２０を積載する積載用構造物の一例である。
【００２１】
図６は荷物管理装置のハードウェア構成を示す図である。
荷物管理装置１は、図６で示すように、ＣＰＵ（Central Processing Unit）２０１、ＩＦ（Interface）２０２、通信モジュール２０３、ＲＯＭ（Read Only Memory）２０４、ＲＡＭ（Random Access Memory）２０５、ＨＤＤ（Hard Disk Drive）２０６、ＲＦＩＤリーダ２０７などの構成を備えている。通信モジュール２０３は通信アンテナ１４を介した信号の送受信を行う。ＲＦＩＤリーダ２０７は、第一アンテナ１１や第二アンテナ１２によって受信した信号の受信の制御を行う。ＩＦ２０２は、例えば荷物管理装置１に設けられたタッチパネルディスプレイ等に接続されている。
【００２２】
図７は荷物管理装置の機能ブロック図である。
荷物管理装置１は、予め記憶するプログラムをＣＰＵ１０１が実行することによりＩＤ検出部７１、荷物管理部７２、運搬状態判定部７３、位置検出部７４、表示部７５、他装置連携部７６タグデータチェック部７８の機能を備える。また荷物管理装置１は記憶部７７を備える。
【００２３】
ＩＤ検出部７１は、荷物タグ２１、配置位置タグ３１、第一タグ１５から発信された信号に基づいてＩＤを検出する。当該ＩＤは荷物ＩＤ、配置位置ＩＤ、第一フォークリフトＩＤなどである。荷物ＩＤには荷物の識別情報が少なくとも含まれる。配置位置ＩＤには配置位置が特定できるトラック、貨車、かご台車などの識別情報が少なくとも含まれる。第一フォークリフトＩＤにはフォークリフトを識別する第一の識別情報が含まれる。
荷物管理部７２は、ＩＤ検出部７１によるＩＤの検出状況に応じて荷物であるコンテナ２０の搬入元や搬出先を判定する。
【００２４】
運搬状態判定部７３は、荷物ＩＤを第一アンテナ１１や第二アンテナ１２で検出した状況に応じてフォークリフト１０の荷物運搬状態を判定する。また運搬状態判定部７３はＲＦＩＤタグの取り付けられていないコンテナ２０を運搬していることを判定する。
位置検出部７４は衛星測位アンテナ１３を介して衛星から発信された信号に基づいてフォークリフト１０の位置を検出する。
表示部７５は荷物管理装置１に情報を表示する。
他装置連携部７６は、通信アンテナ１４を介して接続した他装置の間で情報を送受信する。
タグデータチェック部７８は、受信した荷物ＩＤ、配置位置ＩＤ、第一フォークリフトＩＤなどに含まれるデータ体系をチェックする。
記憶部７７は各種情報を記憶する。
【００２５】
図８はフォークリフトの第一の動作例を示す図である。
図８ではフォークリフト１０の運転手が、コンテナヤードなどの敷地に置かれているコンテナ２０の底にフォークリフト１０のフォークを差し込んでいる状態を示す。この例はフォークリフト１０が地面からコンテナ２０を持ち上げて運び始める第一タイミング、またはフォークリフト１０がコンテナ２０を移動させて敷地の所定位置に配置する第二タイミングでみられる状況である。
荷物管理部７２は第一タイミングと判定する場合は、まず、コンテナ２０を運んでいない状態においては第一アンテナ１１および第二アンテナ１２で荷物ＩＤを受信していないと判定する（１−ａ）。次にコンテナ２０の下にフォークが差し込まれた際に、コンテナ２０に荷物タグ２１が取り付けられていれば荷物管理部７２は第一アンテナ１１のみで荷物ＩＤと第一フォークリフトＩＤとを受信したと判定する（１−ｂ１）。コンテナ２０に荷物タグ２１が取り付けられていない場合には、荷物管理部７２は第一アンテナ１１のみで第一フォークリフトＩＤを受信したと判定する（１−ｂ２）。このような時系列の状況が生じた場合、荷物管理部７２は第一タイミングが発生したと判定する。なお第二アンテナ１２は、１−ｂの状況においては荷物ＩＤや第一フォークリフトＩＤを検出できないような電波の指向性となるようフォークリフト１０に取り付けられている。
【００２６】
荷物管理部７２は第二タイミングと判定する場合では、運転手がフォークリフト１０を操作してコンテナ２０を持ち上げた場合、コンテナ２０に荷物タグ２１が取り付けられていれば第一アンテナ１１と第二アンテナ１２の両方で荷物ＩＤと第一フォークリフトＩＤを受信していると判定する（２−ａ１）。また運転手がフォークリフト１０を操作してコンテナ２０を持ち上げた場合、コンテナ２０に荷物タグ２１が取り付けられていなければ第一アンテナ１１と第二アンテナ１２の両方で第一フォークリフトＩＤを受信していると判定する（２−ａ２）。次に荷物管理部７２は、コンテナ２０を移動先で置く際には、コンテナ２０に荷物タグ２１が取り付けられていれば第一アンテナ１１のみで荷物ＩＤと第一フォークリフトＩＤを受信していると判定する（２−ｂ１）。また荷物管理部７２は、コンテナ２０を移動先で置く際には、コンテナ２０に荷物タグ２１が取り付けられていなければ第一アンテナ１１のみで第一フォークリフトＩＤを受信していると判定する（２−ｂ２）。そして荷物管理部７２は、フォークリフト１０がバックした場合には、第一アンテナ１１と第二アンテナ１２の両方で荷物ＩＤまたは第一フォークリフトＩＤを受信していないと判定する（２−ｃ）。このような時系列の状況が生じた場合、荷物管理部７２は第二タイミングが発生したと判定する。なお第二アンテナ１２は、２−ｂ１または２−ｂ２の状況においては荷物ＩＤを検出できないような電波の指向性となるようフォークリフト１０に取り付けられている。
【００２７】
図９はフォークリフトの第二の動作例を示す図である。
図９ではフォークリフト１０の運転手が、コンテナ２０を積載する貨車にコンテナ２０が配置されている状態においてコンテナ２０の底にフォークリフト１０のフォークを差し込んでいる状態を示す。この例はフォークリフト１０が貨車からコンテナ２０を持ち上げて他の位置へ運び始める第三タイミング、またはフォークリフト１０がコンテナ２０を他の位置から貨車に移動させて貨車に積載しようとする第四タイミングでみられる状況である。
荷物管理部７２は第三タイミングと判定する場合は、まず第一アンテナ１１と第二アンテナ１２の両方で荷物ＩＤや第一フォークリフトＩＤを検出できないと判定する（３−ａ）。次に荷物管理部７２は、コンテナ２０に荷物タグ２１が取り付けられている場合には、第一アンテナ１１で荷物ＩＤと配置位置ＩＤと第一フォークリフトＩＤを検出したと判定する（３−ｂ１）。または荷物管理部７２は、コンテナ２０に荷物タグ２１が取り付けられていない場合には、第一アンテナ１１で配置位置ＩＤと第一フォークリフトＩＤを検出したと判定する（３−ｂ２）。このような時系列の状況が生じた場合、荷物管理部７２は第三タイミングが発生したと判定する。なお第二アンテナ１２は、３−ｂ１や３−ｂ２の状況においては荷物ＩＤや配置位置ＩＤや第一フォークリフトＩＤを検出できないような電波の指向性となるようフォークリフト１０に取り付けられている。
【００２８】
荷物管理部７２は第四タイミングと判定する場合は、コンテナ２０に荷物タグ２１が取り付けられていれば、フォークリフト１０の走行中などには第一アンテナ１１と第二アンテナ１２の両方で荷物ＩＤと第一フォークリフトＩＤを検出したと判定する（４−ａ１）。または荷物管理部７２は第四タイミングと判定する場合は、コンテナ２０に荷物タグ２１が取り付けられていなければ、フォークリフト１０の走行中などには第一アンテナ１１と第二アンテナ１２の両方で第一フォークリフトＩＤを検出したと判定する（４−ａ２）。次にコンテナを貨車に配置した際には、コンテナ２０に荷物タグ２１が取り付けられていれば、荷物管理部７２は第二アンテナ１２で荷物ＩＤと第一フォークリフトＩＤの検出ができないと判定する（４−ｂ１）。またはコンテナを貨車に配置した際には、コンテナ２０に荷物タグ２１が取り付けられていなければ、荷物管理部７２は第二アンテナ１２で第一フォークリフトＩＤの検出ができないと判定する（４−ｂ２）。次に荷物管理部７２はコンテナ２０に荷物タグ２１が取り付けられていれば、第一アンテナ１１で荷物ＩＤと配置位置ＩＤと第一フォークリフトＩＤを検出したと判定する（４−ｃ１）。または荷物管理部７２はコンテナ２０に荷物タグ２１が取り付けられていなければ、第一アンテナ１１で配置位置ＩＤと第一フォークリフトＩＤを検出したと判定する（４−ｃ２）。このような時系列の状況が生じた場合、荷物管理部７２は第四タイミングが発生したと判定する。なお第二アンテナ１２は、４−ｃ１や４−ｃ２の状況においては荷物ＩＤ、配置位置ＩＤ、第一フォークリフトＩＤなどを検出できないような電波の指向性となるようフォークリフト１０に取り付けられている。
【００２９】
図１０はフォークリフトの第三の動作例を示す図である。
図１０ではフォークリフト１０の運転手が、コンテナ２０が重ねて配置されている状態において上段に配置されているコンテナ２０の底にフォークリフト１０のフォークを差し込んでいる状態を示す。この例はフォークリフト１０が上段に配置されているコンテナ２０を持ち上げて他の位置へ運び始める第五タイミング、またはフォークリフト１０がコンテナ２０の上に他の位置から移動させたコンテナ２０の配置を完了したとする第六タイミングでみられる状況である。
【００３０】
荷物管理部７２は第五タイミングを判定する場合は、まずコンテナ２０を運んでいないため、第一アンテナ１１と第二アンテナ１２の両方で荷物ＩＤや第一フォークリフトＩＤが検出できていないと判定する（５−ａ）。次にフォークリフト１０のフォークを上段のコンテナ２０の底に差し込む為、コンテナ２０に荷物タグ２１が取り付けられている場合には荷物管理部７２は第一アンテナ１１と第二アンテナ１２の両方で荷物ＩＤと第一フォークリフトＩＤを検出したと判定する（５−ｂ１）。またはフォークリフト１０のフォークを上段のコンテナ２０の底に差し込む為、コンテナ２０に荷物タグ２１が取り付けられていない場合には荷物管理部７２は第一アンテナ１１と第二アンテナ１２の両方で第一フォークリフトＩＤを検出したと判定する（５−ｂ２）。このような時系列の状況が生じた場合、荷物管理部７２は第五タイミングが発生したと判定する。
荷物管理部７２は第六タイミングを判定する場合は、コンテナ２０に荷物タグ２１が取り付けられていれば、フォークリフト１０の走行中において第一アンテナ１１と第二アンテナ１２の両方で荷物ＩＤと第一フォークリフトＩＤを検出したと判定する（６−ａ１）。コンテナ２０に荷物タグ２１が取り付けられていなければ、フォークリフト１０の走行中において第一アンテナ１１と第二アンテナ１２の両方で第一フォークリフトＩＤを検出したと判定する（６−ａ２）。また荷物管理部７２は第一アンテナ１１と第二アンテナ１２の両方で荷物ＩＤや第一フォークリフトＩＤを検出している時間が所定時間以上であると判定する（６−ｂ）。また荷物管理部７２は第一アンテナ１１と第二アンテナ１２の両方で荷物ＩＤや第一フォークリフトＩＤを検出できなくなったと判定する。このような時系列の状況が生じた場合、荷物管理部７２は第六タイミングが発生したと判定する。
【００３１】
なお上述の図８〜図１０で示した各タイミングの判定手法は一例であって、第一アンテナ１１や第二アンテナ１２で受信した荷物ＩＤや配置位置ＩＤや第一フォークリフトＩＤの受信時刻や時系列での受信状況に応じて上記各タイミングやその他のタイミングを判定するようにして良い。
【００３２】
図１１はフォークリフトの一連の動作を示す第一の図である。
次にフォークリフトがコンテナヤードなどの敷地に置かれているコンテナ２０を敷地内の他の位置に配置する場合の例について説明する。この場合コンテナヤードの敷地のコンテナ２０が置かれている位置が搬入元である。また他の位置が搬出先である。またコンテナ２０には荷物タグが取り付けられていない場合の例を用いて説明する。
運転手はフォークリフト１０を操作してコンテナ２０の底にフォークリフト１０のフォークを差し込む（ステップＳ１）。これにより第一アンテナ１１で発信した無線信号がコンテナ２０で反射する。第一タグ１５は、第一アンテナ１１から発信された無線信号の反射信号の受信に基づいて第一フォークリフトＩＤを発信する。第一アンテナ１１は第一フォークリフトＩＤを受信する。荷物管理部７２は、第一アンテナ１１において第一フォークリフトＩＤを検出したと判定し、第一タイミングであることを検出する。荷物管理部７２は第一フォークリフトＩＤを取得した時点におけるフォークリフト１０の現在位置を位置検出部７４から取得する。荷物管理部７２は荷物タグ２１が取り付けられていないことを示す情報と、現在位置とを記憶部７７に一次記録する。また荷物管理部７２は荷物タグ２１が取り付けられていないことを示す情報と、現在位置とを他装置連携部７６に出力する。他装置連携部７６は荷物タグ２１が取り付けられていないことを示す情報と現在位置と第一フォークリフトＩＤとを上位システムに通知してよい。この通知には第一タイミングであることを示す情報を含ませるようにしてよい。このような処理により上位システムは、どのフォークリフトが、何時、どの位置で、どの荷物に対して、何をしているかを管理することができる。また上位システムでは荷物タグ２１の取り付けられていないコンテナ２０がどこに存在するかを検出することができる。
【００３３】
運転手はコンテナ２０を敷地内の他の位置に移動させる。この際運転手はフォークリフト１０のフォークを持ち上げて視界を確保する（ステップＳ２）。そうすると第一アンテナ１１と第二アンテナ１２でそれぞれ第一フォークリフトＩＤを受信する。第一タイミングからこの状態に移行すると、運搬状態判定部７３は運搬中であることを判定する。運転手は敷地内の所定の搬出先の配置位置に到着すると、その位置にコンテナ２０を配置する。この時第二アンテナ１２における第一フォークリフトＩＤの検出ができなくなる。荷物管理部７２は第二タイミングであることを検出する。荷物管理部７２は、第二タイミングであると検出した時の現在位置を位置検出部７４から取得する。フォークリフト１０がバックすると荷物管理部７２は第一アンテナ１１で第一フォークリフトＩＤの検出ができなくなったと判定する（ステップＳ３）。荷物管理部７２は第一アンテナ１１および第二アンテナ１２で検出しなくなった第一フォークリフトＩＤと、現在位置を他装置連携部７６に出力する。他装置連携部７６は第一フォークリフトＩＤと現在位置を、第二タイミングを検知したことを上位システムに通知してよい。このような処理により上位システムは、どのフォークリフトが、何時、どの位置で、どの荷物に対して、何をしているかを管理することができる。また上位システムでは荷物タグ２１の取り付けられていないコンテナ２０がどこに存在するかを検出することができる。
【００３４】
図１２はフォークリフトの一連の動作を示す第二の図である。
次にフォークリフト１０が一方の貨車４１に置かれているコンテナ２０を、他方の貨車４２に配置する場合の例について説明する。この場合、一方の貨車４１が搬入元である。また他方の貨車４２が搬出先である。なおコンテナ２０には荷物タグが取り付けられていない場合の例を用いて説明する。
運転手はフォークリフト１０を操作して貨車４１に積載されているコンテナ２０の底にフォークリフト１０のフォークを差し込む（ステップＳ１２１）。これにより第一アンテナ１１で発信した無線信号がコンテナ２０で反射する。第一タグ１５は、第一アンテナ１１から発信された無線信号の反射信号の受信に基づいて第一フォークリフトＩＤを発信する。第一アンテナ１１は第一フォークリフトＩＤを受信する。また第一アンテナ１１は配置位置タグ３１から発信された配置位置ＩＤを受信する。荷物管理部７２は、第一アンテナ１１において第一フォークリフトＩＤと配置位置ＩＤを検出したと判定し、第三タイミングであることを検出する（図９）。なおタグデータチェック部７８は配置位置ＩＤが貨車を示すかどうかを判定してもよい。例えば予め貨車からの荷物を搬出する場合に、タグデータチェック部７８は配置位置ＩＤが貨車かどうかを判定し、貨車でない場合には警告表示を行うと判定してもよい。貨車４１にコンテナ２０が複数連なって配置されていた場合には第一アンテナ１１は他のコンテナ２０に取り付けられている荷物タグ２１から荷物ＩＤを受信してしまう可能性が有る。荷物管理部７２はコンテナ２０の荷物ＩＤを検出した場合、受信強度が第一フォークリフトＩＤと同じ程度に高い信号かを判定し、第一フォークリフトＩＤと同じ程度に高い信号でない場合には破棄してよい。またこの時、貨車に複数の配置位置タグ３１が取り付けられている場合には、荷物管理部７２は、複数の配置位置ＩＤを受信したと判定する可能性がある。その場合荷物管理部７２は、第一フォークリフトＩＤを受信した信号の強度と同程度の信号強度の信号により配置位置ＩＤを受信したかを判定する。第一フォークリフトＩＤと同程度の信号強度の信号により配置位置ＩＤを受信していれば、荷物タグ２１の取り付けられていない荷物と配置位置とが一致している。したがって、荷物管理部７２は、第一フォークリフトＩＤと同程度の信号強度により受信した配置位置ＩＤを取得する。
【００３５】
荷物管理部７２は第一フォークリフトＩＤと配置位置ＩＤとを取得した時点におけるフォークリフト１０の現在位置を位置検出部７４から取得する。荷物管理部７２は第一フォークリフトＩＤ、配置位置ＩＤ、現在位置を記憶部７７に一次記録する。また荷物管理部７２は第一フォークリフトＩＤ、配置位置ＩＤ、現在位置を他装置連携部７６に出力する。他装置連携部７６は第一フォークリフトＩＤ、配置位置ＩＤ、現在位置を上位システムに通知してよい。この通知には第三タイミングであることを示す情報を含ませるようにして良い。このような処理によりフォークリフトが何時、どの位置で、どの荷物に対して、何をしているかを上位システムで管理することができる。また上位システムでは荷物タグ２１の取り付けられていないコンテナ２０がどこに存在するかを検出することができる。
【００３６】
運転手はコンテナ２０を他方の貨車４２に移動させる。この際運転手はフォークリフト１０のフォークを持ち上げて視界を確保する（ステップＳ１２２）。そうすると第一アンテナ１１と第二アンテナ１２でそれぞれ第一フォークリフトＩＤを受信する。第三タイミングからこの状態に移行すると、運搬状態判定部７３は運搬中であることを判定する。運転手は他方の貨車４２に到着すると、貨車４２にコンテナ２０を配置する。この時第二アンテナ１２における第一フォークリフトＩＤの検出ができなくなる。また第一アンテナ１１では第一フォークリフトＩＤと共に貨車４２に取り付けられている配置位置タグ３１の配置位置ＩＤを受信する。これにより荷物管理部７２は第四タイミングであることを検出する。なおこの時、貨車に複数の配置位置タグ３１が取り付けられている場合には、荷物管理部７２は、複数の配置位置ＩＤを受信したと判定する可能性がある。その場合荷物管理部７２は、第一フォークリフトＩＤを受信した信号の強度と同程度の信号強度の信号により配置位置ＩＤを受信したかを判定する。第一フォークリフトＩＤと同程度の信号強度の信号により配置位置ＩＤを受信していれば、荷物タグ２１の取り付けられていないコンテナ２０と配置位置とが一致している。したがって、荷物管理部７２は、第一フォークリフトＩＤの信号強度と同程度の信号強度により受信した配置位置ＩＤを取得する。
【００３７】
荷物管理部７２は、第四タイミングであると検出した時の現在位置を位置検出部７４から取得する。フォークリフト１０がバックすると荷物管理部７２は第一アンテナ１１で第一フォークリフトＩＤと配置位置ＩＤの検出ができなくなる（ステップＳ１２３）。荷物管理部７２はそれら第一フォークリフトＩＤと配置ＩＤとを他装置連携部７６に出力する。他装置連携部７６は第一フォークリフトＩＤ、配置位置ＩＤ、現在位置、フォークリフトＩＤ、第四タイミングを検知したことを上位システムに通知してよい。このような処理により上位システムは、どのフォークリフトが、何時、どの位置で、どの荷物に対して、何をしているかを管理することができる。また上位システムでは荷物タグ２１の取り付けられていないコンテナ２０がどこに存在するかを検出することができる。
【００３８】
図１３は荷物管理装置１の処理フローを示す図である。
荷物管理装置１において荷物管理部７２は、第一アンテナ１１において受信したＩＤが荷物ＩＤ、配置位置ＩＤ、第一フォークリフトＩＤ、第二フォークリフトＩＤの一つまたは複数のどれであるかを判定する（ステップＳ１３１）。次に運搬状態判定部７３がフォークリフトの運搬状態を判定する（ステップＳ１３２）。荷物管理部７２は運搬状態を検出し、また受信したＩＤを特定し、記録しているそれらの時系列の情報に基づいて現在のタイミング（上記第一〜第六のタイミングなど）を判定する（ステップＳ１３３）。またタグデータチェック部７８は、受信した荷物ＩＤまたは配置位置ＩＤをチェックする（ステップＳ１３４）。タグデータチェック部７８はそれらチェックした荷物ＩＤや配置位置ＩＤのデータ体系が記憶部７７に記録されている体系に合致しない場合には、警告情報などをモニタに出力してよい。荷物管理部７２は現在のタイミングが所定のタイミングである場合には、上位システムに情報を送信すると決定する（ステップＳ１３５）。荷物管理部７２は位置検出部７４から現在位置を取得する（ステップＳ１３６）。荷物管理部７２は、上位システムに荷物ＩＤ、配置位置ＩＤ、第一フォークリフトＩＤ、第二フォークリフトＩＤや現在位置やタイミングを示す情報を送信する（ステップＳ１３７）。
【００３９】
荷物管理装置１は、上位システムなどから予め、作業予定リストを受信して記憶しておいてもよい。作業予定リストには、運搬するコンテナの荷物ＩＤの順番や、搬入元、搬出先の情報が記録されている。荷物管理装置１の荷物管理部７２は、運搬するコンテナの荷物ＩＤの順番や、そのコンテナ２０の搬入元と搬出先とを比較して、作業予定リストに一致するかを判定するようにしてもよい。この場合、荷物管理部７２はフォークリフトの仕事状況の時系列による情報が、作業予定リストに一致しない場合には、警告情報をタッチパネルディスプレイなどに表示するようにしてもよい。これにより作業者の荷物の誤移送を削減することができる。
【００４０】
荷物管理装置１は記憶部に地図を記憶しておき、表示部７５が地図と現在位置とをディスプレイに表示するようにしてもよい。
また荷物管理装置１は荷物タグ２１、配置位置タグ３１、第一タグ１５、第二タグ１６からの信号の強度を検出して、その信号強度を記憶しておき、信号強度の変換を管理してもよい。荷物管理装置１は信号強度が著しく弱くなったかを判定し、弱くなった場合には、荷物タグ２１、配置位置タグ３１、第一タグ１５、第二タグ１６の劣化を判断してもよい。この場合荷物管理装置１は、劣化した荷物タグ２１、配置位置タグ３１、第一タグ１５、第二タグ１６の情報（荷物ＩＤ、配置位置ＩＤ、第一フォークリフトＩＤ、第二フォークリフトＩＤ）や現在位置を含む劣化信号を上位システムへ出力する。これにより上位システムにおいて劣化した荷物タグ２１や配置位置タグ３１を特定することができる。
【００４１】
上述の第一アンテナ１１や第二アンテナ１２は指向性を制御できる機能を有していてもよい。例えば荷物管理装置１は、電気的、または機械的に第一アンテナ１１や第二アンテナ１２の指向性の向きや電波出力強度を変化させることができてよい。例えば第一アンテナ１１に比較して、第二アンテナ１２の指向性や出力を高め、遠い場所にある各タグからの信号を受信できるようにしてもよい。
【００４２】
＜第二の実施形態＞
次にフォークリフトが第二アンテナ１２の代わりに第二タグ１６を備える場合の例について説明する。
図１４に示すようにフォークリフトに第二タグ１６が取り付けられているとする。第二タグ１６は、フォークリフト１０のフォークが走行中などに所定の高さに持ち上げた場合に第一アンテナ１１の近傍に位置するように予めフォークリフト１０に取り付けられている。第二タグ１６は、フォークが所定の位置に持ち上げられている際に第一アンテナ１１から発信された無線信号がコンテナ２０において反射した信号を受信する。これにより第二タグ１６は第二フォークリフトＩＤを発信する。第二フォークリフトＩＤの信号はコンテナ２０で反射して第一アンテナ１１で受信する。
【００４３】
図１４は第二実施形態によるフォークリフトの一連の動作を示す第一の図である。
次にフォークリフトがコンテナヤードなどの敷地に置かれているコンテナ２０を敷地内の他の位置に配置する場合の第二の実施形態における例について説明する。この場合コンテナヤードの敷地のコンテナ２０が置かれている位置が搬入元である。また他の位置が搬出先である。コンテナ２０には荷物タグが取り付けられていない場合の例を用いて説明する。
運転手はフォークリフト１０を操作してコンテナ２０の底にフォークリフト１０のフォークを差し込む（ステップＳ１４１）。これにより第一アンテナ１１で発信した無線信号がコンテナ２０で反射する。第一タグ１５は、第一アンテナ１１から発信された無線信号の反射信号の受信に基づいて第一フォークリフトＩＤを発信する。第一アンテナ１１は第一フォークリフトＩＤを受信する。荷物管理部７２は、第一アンテナ１１において第一フォークリフトＩＤを検出したと判定し、第一タイミングであることを検出する。荷物管理部７２は第一フォークリフトＩＤを取得した時点におけるフォークリフト１０の現在位置を位置検出部７４から取得する。荷物管理部７２は荷物タグ２１が取り付けられていないことを示す情報と、現在位置とを記憶部７７に一次記録する。また荷物管理部７２は荷物タグ２１が取り付けられていないことを示す情報と、現在位置とを他装置連携部７６に出力する。他装置連携部７６は荷物タグ２１が取り付けられていないことを示す情報と現在位置と第一フォークリフトＩＤとを上位システムに通知してよい。この通知には第一タイミングであることを示す情報を含ませるようにしてよい。このような処理により上位システムは、どのフォークリフトが、何時、どの位置で、どの荷物に対して、何をしているかを管理することができる。また上位システムでは荷物タグ２１の取り付けられていないコンテナ２０がどこに存在するかを検出することができる。
【００４４】
運転手はコンテナ２０を敷地内の他の位置に移動させる。この際運転手はフォークリフト１０のフォークを持ち上げて視界を確保する（ステップＳ１４２）。そうすると第一アンテナ１１で第一フォークリフトＩＤと第二フォークリフトＩＤを受信する。第一タイミングからこの状態に移行すると、運搬状態判定部７３は運搬中であることを判定する。運転手は敷地内の所定の搬出先の配置位置に到着すると、その位置にコンテナ２０を配置する。この時第一アンテナ１１における第一フォークリフトＩＤと第二フォークリフトＩＤの検出ができなくなる。これにより荷物管理部７２は第二タイミングであることを検出する。荷物管理部７２は、第二タイミングであると検出した時の現在位置を位置検出部７４から取得する。フォークリフト１０がバックすると荷物管理部７２は第一アンテナ１１で第一フォークリフトＩＤの検出ができなくなったと判定する（ステップＳ１４３）。荷物管理部７２は第一アンテナ１１で検出しなくなった第一フォークリフトＩＤまたは第二フォークリフトＩＤと、現在位置を他装置連携部７６に出力する。他装置連携部７６は第一フォークリフトＩＤまたは第二フォークリフトＩＤと現在位置を、第二タイミングを検知したことを上位システムに通知してよい。このような処理により上位システムは、どのフォークリフトが、何時、どの位置で、どの荷物に対して、何をしているかを管理することができる。また上位システムでは荷物タグ２１の取り付けられていないコンテナ２０がどこに存在するかを検出することができる。
【００４５】
図１５は荷物管理装置の最小構成を示す図である。
図１５で示すように荷物管理装置１は少なくとも荷物管理部７２と運搬状態判定部７３を備える。
荷物管理部７２はフォークリフト１０フォークに設けられた第一アンテナ１１から発信された無線信号の反射波を受信できるフォークリフト１０の所定の位置に設けられた第一タグ１５であって無線信号の受信に基づいて第一タグ１５の発信した第一ＩＤを、第一アンテナ１１で検出したか否かを判定する。
運搬状態判定部７２は、第一ＩＤを検出した場合に荷物ＩＤタグ２１が取り付けられていないコンテナ２０を運搬していると判定する。
【００４６】
上述の荷物管理装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４８】
１・・・荷物管理装置
１０・・・フォークリフト
１１・・・第一アンテナ
１２・・・第二アンテナ
１３・・・衛星測位アンテナ
１４・・・通信アンテナ
１５・・・第一タグ
１６・・・第二タグ
２０・・・コンテナ
２１・・・荷物タグ
７１・・・ＩＤ検出部
７２・・・荷物管理部
７３・・・運搬状態判定部
７４・・・位置検出部
７５・・・表示部
７６・・・他装置連携部
７７・・・記憶部
７８・・・タグデータチェック部
【図１】
0006780269.tif 000002
【図２】
0006780269.tif 000003
【図３】
0006780269.tif 000004
【図４】
0006780269.tif 000005
【図５】
0006780269.tif 000006
【図６】
0006780269.tif 000007
【図７】
0006780269.tif 000008
【図８】
0006780269.tif 000009
【図９】
0006780269.tif 000010
【図１０】
0006780269.tif 000011
【図１１】
0006780269.tif 000012
【図１２】
0006780269.tif 000013
【図１３】
0006780269.tif 000014
【図１４】
0006780269.tif 000015
【図１５】
0006780269.tif 000016